(57)【要約】【課題】  低挿入力にて精度よく確実に接続でき、離脱性を向上すること。【解決手段】  コネクタ１と相手側コネクタ１０１とを接続する際には、レバー３の凹部３５に形成した位置決め部３５ｄと前記相手側コネクタ１０１の突部１０５に形成した第１当接部１０６ａとを当接させた後、前記レバー３を回転させ前記レバー３の当接部３５ａと前記相手側コネクタ１０１の第２当接部１０６ｂとを当接させる。前記相手側コネクタ１０１を離脱させる際には、前記位置決め部３５ｂと前記相手側コネクタ１０１の突部１０５に形成した第３当接部１０６ｃとが当接するまで前記レバー３を回転させた後、前記レバーを回転させて離脱させる。【選択図】  図２２
2008146941.tif 000002
【特許請求の範囲】
【請求項１】
コネクタと、該コネクタと接続する相手側コネクタとを有し、前記コネクタはハウジングと、該ハウジングに設けたレバーとを有し、前記相手側コネクタは前記ハウジングと嵌合する相手側ハウジングを有し、前記レバーを回転させることによって前記コネクタと前記相手側コネクタとを相互に嵌合し接続するコネクタ装置において、
前記ハウジングには、前記相手側コネクタと接続可能な初期状態である第１の位置と前記相手側コネクタと嵌合完了状態である第２の位置との間で前記レバーが回転自在に保持されており、
前記相手側ハウジングは、前記コネクタと前記相手側コネクタとを嵌合し接続する際に前記レバーに形成した凹部に嵌る突部を有し、
前記突部は前記第１の位置で前記レバーに当接する第１当接部と、第１の回転方向へ前記レバーを回転した際に前記第２の位置で前記レバーに当接する第２当接部と、前記第１の回転方向とは逆向きの第２の回転方向へ前記レバーを回転した際に前記レバーに当接する第３当接部とを有し、
前記凹部は前記コネクタと前記相手側コネクタとを接続する際に前記突部の前記第１当接部と当接して前記レバーを位置決めする位置決め部と、該位置決め部と前記第１当接部とが当接した後、前記レバーを前記第１の回転方向へ回転させたときに前記第２当接部と当接して前記コネクタと前記相手側コネクタとを嵌合させる当接部とを有し、
前記位置決め部と前記第３当接部との間には、前記コネクタと前記相手側コネクタとが嵌合し接続した状態から前記相手側コネクタを離脱させる際に前記位置決め部と前記第３当接部とが当接するまで前記レバーを前記第２の回転方向へ空転可能に回転させることができる空間が設けられていることを特徴とするコネクタ装置。
【発明の詳細な説明】
【技術分野】
【０００１】
本発明は、レバーを回転させることによってコネクタと相手側コネクタとを相互に接続するコネクタ装置に関する。
【背景技術】
【０００２】
先行技術としては、歯車が回転端に形成されたレバーを有する第１コネクタと、歯車と係合するギアーラックが形成された第２コネクタとを有する電気コネクタが知られている（例えば、特許文献１を参照）。
【０００３】
この電気コネクタは、第１コネクタのレバーが初期位置のときのみ、第２コネクタと係合して、レバーの回転により両コネクタを相互に嵌合するというものである。
【０００４】
【特許文献１】特開平０９−２１９２５３号公報
【発明の開示】
【発明が解決しようとする課題】
【０００５】
特許文献１の電気コネクタは、レバーを回転させた直後から大きな操作力が必要となることから操作性に劣るという問題がある。
【０００６】
それ故に、本発明の課題は、相手側コネクタと接続する際に、低挿入力にて精度よく確実に挿入し嵌合することができるとともに、コネクタと相手側コネクタとの離脱性を向上させることができるコネクタ装置を提供することにある。
【課題を解決するための手段】
【０００７】
本発明は、コネクタと、該コネクタと接続する相手側コネクタとを有し、前記コネクタはハウジングと、該ハウジングに設けたレバーとを有し、前記相手側コネクタは前記ハウジングと嵌合する前記相手側ハウジングを有し、前記レバーを回転させることによって前記コネクタと前記相手側コネクタとを相互に嵌合し接続するコネクタ装置において、前記ハウジングには前記相手側コネクタと接続可能な初期状態である第１の位置と前記相手側コネクタと嵌合完了状態である第２の位置との間で前記レバーが回転自在に保持されており、前記相手側ハウジングは、前記コネクタと前記相手側コネクタとを嵌合し接続する際に前記レバーに形成した凹部に嵌る突部を有し、前記突部は前記第１の位置で前記レバーに当接する第１当接部と、第１の回転方向へ前記レバーを回転した際に前記第２の位置で前記レバーに当接する第２当接部と、前記第１の回転方向とは逆向きの第２の回転方向へ前記レバーを回転した際に前記レバーに当接する第３当接部とを有し、前記凹部は前記コネクタと前記相手側コネクタとを接続する際に前記突部の前記第１当接部と当接して前記レバーを位置決めする位置決め部と、該位置決め部と前記第１当接部とが当接した後、前記レバーを前記第１の回転方向へ回転させたときに前記第２当接部と当接して前記コネクタと前記相手側コネクタとを嵌合させる当接部とを有し、前記位置決め部と前記第３当接部との間には、前記コネクタと前記相手側コネクタとが嵌合し接続した状態から前記相手側コネクタを離脱させる際に前記位置決め部と前記第３当接部とが当接するまで前記レバーを前記第２の回転方向へ空転可能に回転させることができる空間が設けられていることを特徴とするコネクタ装置であることを最も主要な特徴とする。
【発明の効果】
【０００８】
本発明のコネクタ装置によれば、コネクタと相手側コネクタと接続する際に、位置決め部と第１当接部とが当接した後、レバーを回転させレバーの当接部と相手側コネクタの第２当接部とが当接することにより、コネクタと前記相手側コネクタとが嵌合するように構成したので、第１の位置から第２の位置まで低挿入力にて精度よく確実に挿入して嵌合し接続することができる。
【０００９】
また、本発明のコネクタ装置は、レバーに凹部を形成し、この凹部に嵌るように相手側ハウジングに突部を形成し、コネクタと相手側コネクタとを離脱する時にレバーを空転可能な空間である遊びを設けたことによって、レバーを操作するときに力を入れやすい位置までレバーを引き出すことが可能となることから、コネクタの離脱性を向上させることが可能となるという利点がある。
【発明を実施するための最良の形態】
【００１０】
本発明のコネクタ装置は、コネクタと、該コネクタと接続する相手側コネクタとを有し、前記コネクタはハウジングと、該ハウジングに設けたレバーとを有し、前記相手側コネクタは前記ハウジングと嵌合する相手側ハウジングを有し、前記レバーを回転させることによって前記コネクタと前記相手側コネクタとを相互に嵌合し接続するコネクタ装置において、前記ハウジングには、前記相手側コネクタと接続可能な初期状態である第１の位置と前記相手側コネクタと嵌合完了状態である第２の位置との間で前記レバーが回転自在に保持されており、前記相手側ハウジングは、前記コネクタと前記相手側コネクタとを嵌合し接続する際に前記レバーに形成した凹部に嵌る突部を有し、前記突部は前記第１の位置で前記レバーに当接する第１当接部と、第１の回転方向へ前記レバーを回転した際に前記第２の位置で前記レバーに当接する第２当接部と、前記第１の回転方向とは逆向きの第２の回転方向へ前記レバーを回転した際に前記レバーに当接する第３当接部とを有し、前記凹部は前記コネクタと前記相手側コネクタとを接続する際に、前記突部の前記第１当接部と当接して前記レバーを位置決めする位置決め部と、該位置決め部と前記第１当接部とが当接した後、前記レバーを前記第１の回転方向へ回転させたときに前記第２当接部と当接して前記コネクタと前記相手側コネクタとを嵌合させる当接部とを有し、前記位置決め部と前記第３当接部との間には、前記コネクタと前記相手側コネクタとが嵌合し接続した状態から前記相手側コネクタを離脱させる際に前記位置決め部と前記第３当接部とが当接するまで前記レバーを前記第２の回転方向へ空転可能に回転させることができる空間が設けられていることにより実現した。
【実施例１】
【００１１】
図１は、本発明に係るコネクタ及び相手側コネクタとからなるコネクタ装置の実施例１を示している。図２及び図３は、図１に示したコネクタを示している。
【００１２】
図１乃至図３を参照して、コネクタ１は、樹脂材によって形成されているハウジング２と、ハウジング２の上部に設けられているレバー３と、ハウジング２内に挿入されて位置しているリテーナー４と、ケーブル５に接続されてハウジング２内に挿入されて位置している複数のコンタクト６（後述する図８に示したコンタクト６を参照）と、短絡用コンタクト７（図２を参照）とを有している。
【００１３】
ハウジング２は、図４乃至図９にも示すように、略四角柱形状のハウジング本体２１と、ハウジング本体２１の上面２１ａと間隔をもって形成されている天板部２１ｂと、ハウジング本体２１の上面２１ａと天板部２１ｂとの間の空間部分に形成されているレバー収容部２３とを有している。
【００１４】
ハウジング本体２１は、コネクタ１を相手側コネクタ１０１に嵌合する嵌合方向Ａ（図１に示した矢印Ａを参照）で嵌合方向Ａと直交する嵌合面２１ｄと、コネクタ１を相手側コネクタ１０１から離脱する離脱方向Ｂ（図１に示した矢印Ｂを参照）で離脱方向Ｂと直交し嵌合面２１ｄと対向する後面２１ｅと、嵌合面２１ｄ及び後面２１ｅを接続している一対の側面２１ｈ,２１ｊとを有する。
【００１５】
ハウジング本体２１には、嵌合面２１ｄ及び後面２１ｅ間を貫通している複数のコンタクト収容部２４と、嵌合面２１ｄから離脱方向Ｂ向かって形成されている複数の短絡用コンタクト収容部２５とが形成されている。短絡用コンタクト収容部２５には、短絡用コンタクト７が収容されている。
【００１６】
ハウジング本体２１の上面２１ａには、レバー３と回転可能に係合する略円板形状のレバー係合部２６（図５を参照）が形成されている。レバー係合部２６の上面２６ａには、レバー係合部２６の上面２６ａから突出するように形成されているレバー回転軸２７（図１及び図９を参照）が形成されている。
【００１７】
天板部２１ｂには、離脱方向Ｂ側でハウジング本体２１の上面２１ａに対向するように突出している爪部２８が形成されている。爪部２８には、天板部２１ｂから嵌合方向Ａに向かってかつレバー係合部２６の方向へ傾斜している斜面２８ａが形成されている。
【００１８】
さらに、天板部２１ｂには、嵌合面２１ｄ側の端辺から後面２１ｅへの離脱方向Ｂへ向かって第１切欠き部２１ｐと第２切欠き部２１ｒとが形成されている。第１及び第２切欠き部２１ｐ，２１ｒは、嵌合方向Ａ及び離脱方向Ｂと直交する方向で互いに間隔もって位置しており、第１及び第２切欠き部２１ｐ，２１ｒのそれぞれが天板部２１ｂの嵌合側から離脱方向Ｂへ延びて形成されている。
【００１９】
第１切欠き部２１ｐの近傍の天板部２１ｂには、ハウジング本体２１の上面２１ａと一体となっている壁部２１ｓが形成されている。壁部２１ｓには、レバー３を初期状態に保つための仮止係止片２９が弾性変形するように片持ち梁状に形成されている。仮止係止片２９の嵌合面２１ｄ側の先端部分には、係止部２９ａが第１切欠き部２１ｐの上方から見えるように突出している。
【００２０】
レバー３は、図１０乃至図１４にも示すように、板状の第１回転部３１と、ハウジング２１のレバー回転軸２７に嵌るように第１回転部３１の板面の略中央部分を貫通するように板厚方向Ｃに形成されている回転穴３１ａと、第１回転部３１に隣接して形成されている板状の第２回転部３２と、第１及び第２回転部３１，３２の一側に隣接して形成されている回転板操作部３４とを有する。
【００２１】
ここで、板厚方向Ｃとは、図１１に示されている上面から見た状態で回転穴３１ａの中心から第１回転部３１の上面３１ｂに平行なＸ１軸,Ｘ２軸，Ｙ１軸，Ｙ２軸と直交する軸線であり、回転穴３１ａの中心軸を含む。
【００２２】
第２回転部３２は、板厚方向Ｃで第１回転部３１の上面３１ｂよりも段落ちしており、第１回転部３１よりも板厚寸法が薄いものである。回転板操作部３４は、第１回転部３１の上面３１ｂよりも板厚方向Ｃで上方に延びて位置しており、第１回転部３１よりも板厚寸法が厚いものである。
【００２３】
第１回転部３１には、第２回転部３２とは反対側の外周辺の一部から第１回転部３１の上面３１ｂよりも板厚方向Ｃで段落ちするように形成されている凹部３５が形成されている。第１回転部３１は、第２回転部３２に隣接する側の直線状の第１壁面３１ｄと、第１壁面３１ｄの一方端から直線状に第１壁面３１ｄと交差して延びている第２壁面３１ｅと、第２壁面３１ｅから回転穴３１ａと同心上で円弧状に曲がって延びている第３壁面３１ｆと、第３壁面３１ｆに引き続き凹部３５の略Ｓ字状に延びて曲面となっている当接部（当接面）３５ａと、当接部３５ａの略Ｓ字状の曲面の一方端から直線状に外側へ延びている位置決め部（位置決め面）３５ｂと位置決め部３５ｂの外側に位置している円弧状の抑制部３５ｃと、抑制部３５ｃから直線状に延びている第４壁面３１ｇと、第４壁面３１ｇの一方端から斜めに延びている第５壁面３１ｈとからなる。
【００２４】
第１壁面３１ｄ、第２壁面３１ｅ、第３壁面３１ｆ、当接部３５ａ、位置決め部３５ｂ、抑制部（抑制面）３５ｃ、第４壁面３１ｇ、及び第５壁面３１ｈは、これらが板厚方向Ｃに形成されている壁面である。
【００２５】
以下、レバー３の第１回転部３１の形状を図１１に示されている上面から見た状態で回転穴３１ａの中心から第１回転部３１の上面３１ｂに平行なＸ１軸,Ｘ２軸とそれらと直交するＹ１軸，Ｙ２軸によって示した各軸を用いて説明する。
【００２６】
凹部３５は、Ｘ２軸とＹ１軸との間に位置している。第１回転部３１の第１壁面３１ｄは、Ｙ１軸及びＹ２軸に平行な方向に位置している。第１回転部３１の第２壁面３１ｅは、Ｙ１軸及びＹ２軸と交差する方向に位置している。第１回転部３１の第３壁面３１ｆは、Ｘ２軸とＹ２軸との間に位置している。凹部３５の当接部３５ａは、Ｘ１軸及びＸ２軸方向に略Ｓ状に曲げられて位置している。位置決め部３５ｂは、Ｙ１軸とＹ２軸と交差する方向で位置している。抑制部３５ｃ及び第４壁面３１ｇは、Ｘ２軸及びＹ１軸間で、Ｙ１軸寄りに位置している。第１回転部３１の第５壁面３１ｈは、Ｘ１軸及びＹ１軸間で、Ｙ１軸寄りに位置している。
【００２７】
第２回転部３２には、第１回転部３１の第１壁面３１ｄに沿って形成されている第１スリット３２ａと、第１スリット３２ａに平行に形成されている第２スリット３２ｂとが形成されている。第１スリット３２ａ及び第２スリット３２ｂとの間は、第２回転部３２の板厚方向Ｃに弾性変形が可能なロック片３７となっている。
【００２８】
第１スリット３２ａ及び第２スリット３２ｂは、第２回転部３２を板厚方向Ｃで貫通している。ロック片３７には、回転操作部３４側の近傍に係止ロック部３７ａが第２回転部３２の上面よりも突出するように形成されている。
【００２９】
第１回転部３１の第１壁面３１ｄとは反対側の第２回転部３２の外辺には、回転操作部３４側から斜めに延びている第６壁面３２ｄと、第６壁面３２ｄの一方端から延びている直線状の第７壁面３２ｅと、第７壁面３２ｅの一方端から円弧状に延びている第８壁面３２ｆと、第８壁面３２ｆの一方端から第１回転部３１の第２壁面３１ｅへ向かって直線状に延びている第９壁面３２ｇと、第７壁面３２ｅ側から第８壁面３２ｆに沿ってかつ回転穴３１ａと同心の円弧状で第２回転部３２の上面に立設しているガイド壁部３２ｈを有する。
【００３０】
第２回転部３２の第６乃至第９壁面３２ｄ,３２ｅ,３２ｆ,３２ｇは、これらが第２回転部３２の板厚方向Ｃに形成されている壁面である。
【００３１】
以下、レバー３の第２回転部３２の形状を図１１に示されている上面から見た状態で回転穴３１ａの中心からＸ１軸,Ｘ２軸とそれらと直交するＹ１軸，Ｙ２軸によって示した各軸によって説明する。
【００３２】
第１及び第２スリット３２ａ，３２ｂ、及びロック片３７は、Ｙ１軸及びＹ２軸に平行な方向にかつ長い寸法で位置している。係止ロック部３７ａは、Ｘ１軸及びＸ２軸と平行な方向に形成されてロック片３７の端に位置している。第２回転部３２の第６壁面３２ｄ及び第７壁面３２ｅは、Ｘ１軸及びＹ１軸間に位置している。第２回転部３２の第８壁面３２ｆは、Ｘ１軸及びＹ２軸間に位置している。第２回転部３２の第９壁面３２ｇは、Ｙ１軸及びＹ２軸と直交する方向に位置している。ガイド壁部３２ｈは、回転穴３１ａの中心と同心の円弧状で第２回転部３２の上面に位置している。
【００３３】
回転操作部３４には、外側の辺から第２回転部３２側に操作凹部３８が形成されている。操作凹部３８の第２回転部３２側は、厚みのある縦壁となっている第１過大変形防止部３８ａとなっている。操作凹部３８の下部分は、第２回転部３２の板面と平行な板状の第２過大変形防止部３８ｂとなっている。
【００３４】
操作凹部３８の内側には、第２過大変形防止部３８ｂに対向するように延びている押圧部３８ｄが形成されている。押圧部３８ｄは、第１過大変形防止部３８ａと第２過大変形防止部３８ｂの間にある図示しない貫通穴を貫通してロック片３７の係止ロック部３７ａと接続されており、押圧部３８ｄを手の指で押圧することによって、ロック片３７を撓ませることができる。
【００３５】
以下、レバー３の回転操作部３４の形状を図１１に示されている上面から見た状態で回転穴３１ａの中心からＸ１軸,Ｘ２軸とそれらと直交するＹ１軸，Ｙ２軸によって示した各軸によって説明する。
【００３６】
回転操作部３４は、Ｘ１軸及びＹ１軸間に位置している。操作凹部３８は、Ｘ１軸及びＸ２軸に平行な方向へ長い寸法で位置している。第１及び第２過大変形防止部３８ａ,３８ｂは、Ｘ１軸及びＹ１軸間に位置しており、第１過大変形防止部３８ａがＸ１軸及びＸ２軸に平行な方向で長い寸法で位置している。押圧部３８ｄは、Ｘ１軸及びＹ１軸間に位置しており、Ｙ１軸の方向でロック片３７の延長上に位置している。
【００３７】
ケーブル５は、ハウジング２１の後面２１ｅから挿入されて、図８に示したように複数のコンタクト６の接続部と一対一に接続されている。コンタクト６の接続部とは反対側の端部は、相手側コネクタ１０１に設けられている相手接触部に接触する接触部と成っている。
【００３８】
相手側コネクタ１０１は、図１と共に、図１５及び図１６にも示すように、樹脂材によって形成されている相手側ハウジング１０２と、相手側ハウジング１０２に設けられている複数の相手側コンタクト１０３と、コネクタ１の短絡用コンタクト収容部２５に収容されている検知用コンタクト７と接触する相手側検知用コンタクト１０４とを有する。
【００３９】
相手側ハウジング１０２は、２つのコネクタ１を並列に嵌合して接続する一対のコネクタ嵌合部１０２ａ、１０２ｂを有する。コネクタ嵌合部１０２ａ、１０２ｂは、上板部１０２ｄと、上板部１０２ｄに平行な下板部１０２ｅと、上板部１０２ｄ及び下板部１０２ｅの長手方向と直交する両辺をそれぞれ接続している一対の側板部１０２ｆ、１０２ｇと、上板部１０２ｄ、下板部１０２ｅ及び一対の側板部１０２ｆ、１０２ｇを閉塞している底板部１０２ｈとを有する。
【００４０】
相手側ハウジング１０２には、長手方向を仕切る仕切板１０２ｍによって仕切られて２つのコネクタ嵌合部１０２ａ、１０２ｂが形成されている。コネクタ嵌合部１０２ａ、１０２ｂを構成している上板部１０２ｄの内面には、図２０及び図２２に示すように、相手側ハウジング１０２と一体に突部１０５が形成されている。突部１０５は、嵌合方向Ａと直交する直線状の第１当接部１０６ａと、レバー３の当接部３５ａ（図１０及び図１１を参照）に接触してハウジング２１を引き込むための第２当接部（斜面）１０６ｂと、第３当接部１０６ｃと、第４当接部１０６ｄと、コネクタ１と相手側コネクタ１０１とが嵌合するときに短絡用コンタクト７を変位させるように短絡用コンタクト７に接触する複数の解除リブ１１０とを有する。
【００４１】
第２当接部１０６ｂは、第１当接部１０６ａに対向しており、相手側との嵌合側から離脱側へ直線状に傾斜している斜面となっている。第３当接部１０６ｃは、第１及び第２当接部１０６ａ，１０６ｂの離脱方向Ｂの両端を斜めに接続している斜面である。第４当接部１０６ｄは、第３当接部１０６ｃとは反対側の第１及び第２当接部１０６ａ，１０６ｂの両端を接続している面であり、嵌合・離脱方向Ａ，Ｂに平行な面である。
【００４２】
相手側コンタクト１０３は、底板部１０２ｈからコネクタ嵌合部１０２ａ、１０２ｂへ延びている相手側接触部１０３ａと、底板部１０２ｈから底板部１０２ｈの外へ延びている相手側端子部１０３ｂとを有する。
【００４３】
コネクタ１と相手側コネクタ１０１とが嵌合したときに、相手側接触部１０３ａがコンタクト６のソケット形状の接触部に受け入れられて接触する。相手側端子部１０３ｂは、相手側コネクタ１０１が図示しないプリント配線基板に形成されているスルーホールに圧入されてプリント配線基板に実装された後、プリント配線基板の回路と接続される。
【００４４】
次に、コネクタ１と相手側コネクタ１０１との嵌合・離脱操作を図２２乃至図２８を参照して説明する。図２２は、コネクタ１と相手側コネクタ１０１とが嵌合する前の状態を示している。なお、図２２乃至図２５における相手側コネクタ１０１は、相手側ハウジング１０２の一方のコネクタ収容部１０２ａのみを示しており、一方のコネクタ収容部１０２ａにコネクタ１を嵌合し、さらに、後述する図２６乃至図２８において離脱する操作について説明する。
【００４５】
レバー３は、レバー係合部２６に係合されており、レバー３の回転穴３１ａがレバー回転軸２７に回転自在に軸支されている。レバー３は、図２２に示す相手側コネクタ１０１と接続可能な初期状態である第１の位置と、図２５に示す相手側コネクタ１０１と嵌合完了状態である第２の位置との間でハウジング２に回転自在に保持される。
【００４６】
図２２に示したコネクタ１では、レバー回転軸２７に回転自在に軸支されているレバー３の位置決め部３５ｂが一平面において嵌合方向Ａを直交する方向に位置している。また、図２２に示した相手側コネクタ１０１では、突部１０５の第１当接部１０６ａが一平面において嵌合方向Ａと直交する方向に位置している。この状態でレバー３は、仮止係止片２９の係止部２９ａによって回転方向の仮止めが行われる。即ち、仮止係止片２９の係止部２９ａは、レバー３の初期状態である第１の位置を保つ役目を果たす。
【００４７】
図２３は、コネクタ１と相手側コネクタ１０１とが嵌合する途中の状態を示している。相手側ハウジング１０２の突部１０５は、レバー３の凹部３５に嵌り込み位置する。
【００４８】
コネクタ１は、嵌合方向Ａで相手側コネクタ１０１の相手側ハウジング１０２に形成されているコネクタ嵌合部１０２ａに挿入される。このとき、相手側ハウジング１０２に形成されている突部１０５の第１当接部１０６ａに仮止係止片２９の係止部２９ａが当接することで押されて、仮止係止片２９が相手側ハウジング１０２の一方の側板部１０２ｆの方向へ撓むとともに、第１当接部１０６ａとレバー３の位置決め部３５ｂとが当接する。
【００４９】
図２３に示したコネクタ１と相手側コネクタ１０１との嵌合途中の状態から、図２４に示すように、レバー３を第１の回転方向（図２４においては反時計方向）に回転させる。図１０及び図２４に示したレバー３における回転操作部３４の押圧面３４ａを指によって押すことでレバー３を回転させる。
【００５０】
図２４に示したように、レバー３をさらに回転したときには、第２当接部１０６ｂの第３当接部１０６ｃ側の先端がレバー３の当接部３５ａと当接する。抑制部３５ｃは、ハウジング２の仮止係止片２９によってレバー３の動きを抑制する役目を果たす。このとき、相手側ハウジング１０２に形成されている突部１０５の第４当接部１０６ｄに仮止係止片２９の係止部２９ａが当接されて押されており、仮止係止片２９が相手側ハウジング１０２の一方の側板部１０２ｆの方向へ撓んでいる。
【００５１】
コネクタ１を相手側コネクタ１０１に嵌合するには、レバー３をさらに第１の回転方向へ回転する。レバー３の当接部３５ａは、第２当接部１０６ｂと当接しながら回転するので、ハウジング２が相手側ハウジング１０２のコネクタ嵌合部１０２ａへ引き込まれることによって、図２５に示すように、コネクタ１と相手側コネクタ１０１が嵌合する。
【００５２】
コネクタ１と相手側コネクタ１０１が嵌合した際には、相手側ハウジング１０２に形成されている突部１０５の第４当接部１０６ｄから仮止係止片２９の係止部２９ａが外れ、仮止係止片２９が自然状態に戻る。また、嵌合が終了したときには、レバー３の係止ロック部３７ａがハウジング２１の爪部２８にロックされている。
【００５３】
なお、図２２乃至図２４によって示したようにコネクタ１と相手側コネクタ１０１とが嵌合前もしくは嵌合途中においては、レバー３の回転操作部３４がハウジング本体２１の上面２１ａからハウジング本体２１の後面２１ｅよりも突き出している。
【００５４】
したがって、コネクタ１と相手側コネクタ１０１とが嵌合前もしくは嵌合途中である状態、嵌合完了状態であるかどうかは、レバー３の回転操作部３４がハウジング本体２１から突出しているか否かによって一見してわかる。
【００５５】
コネクタ１と相手側コネクタ１０１が嵌合した状態では、回転操作部３４を含むレバー３がハウジング本体２１の上面２１ａ上に位置する。また、コネクタ１と相手側コネクタ１０１が嵌合した状態では、コンタクト６と相手側コンタクト１０３とが接触している。
【００５６】
コネクタ１を相手側コネクタ１０１から離脱する際には、図２５に示した嵌合状態において、レバー３の回転操作部３４を第２の回転方向（時計方向）へ少し引き出す。突部１０５の第３当接部１０６ｃとレバー３の位置決め部３５ｂとの間には、レバー３を空転可能にする空間Ｄである遊びがあるため、レバー３の回転操作部３４を手の指によって第２の回転方向にほとんど負荷がかからない状態で少し回転させることがでる。よって、レバー３を少し回転させることによって突部１０５の第３当接部１０６ｃとレバー３の位置決め部３５ｂとが当接する。
【００５７】
このとき、レバー３の回転操作部３４は、レバー３の押圧部３８ｄを押して係止ロック部３７ａを爪部２８から解除する。このとき、レバー３の押圧部３８ｄと第２過大変形防止部２８ｂは手の指で挟むように把持し、第２過大変形防止部２８ｂの方向へ押圧部３８ｄを押圧することによって、係止ロック部３７ａを持つロック片３７を手の指で撓ませる。
【００５８】
そして、図２６に示すように、位置決め部３５ｂと突部１０５の第３当接部１０６ｃとが接するまでレバー３を第２の回転方向へ回転させる。なお、第１過大変形防止部３８ａは、ロック片３７が外力によって過大変形しないようにするために形成されている。
【００５９】
したがって、図２５から図２６に示した状態では、コネクタ１と相手側コネクタ１０１との相対位置は変わらず嵌合したままである。図２６に示すように、レバー３は、ハウジング本体２１の上面２１ａ上に位置している状態から、極めて小さな回転操作力よってハウジング本体２１の後面２１ｅよりも突出させた状態とすることができる。
【００６０】
図２６に示した状態から、さらに、作業者はレバー３の回転操作部３４とハウジング２１との隙間５１に指を入れて回転操作部３４に手の指を掛けて、図２８に示した状態までレバー３を第２の回転方向へ回転させることが可能となる。位置決め部３５ｂを突部１０５の第１当接部１０６ａに当接するまで回転させることによって、図２７から図２８に示したように、レバー３を回転させると、位置決め部３５ｂが突部１０５を押し出しながら、コネクタ１を相手側コネクタ１０１から引き出し離脱することができる。
【００６１】
なお、相手側コネクタ１０１からコネクタ１が離脱された位置は、図２３に示した位置と同様な位置であり、コンタクト６と相手側コンタクト１０３とが非接触となる状態である。
【実施例２】
【００６２】
図２９は、実施例１によって説明したコネクタ１の変形例を示している。なお、実施例１に示したコネクタ１の各部分と同じ要素となる部分には、同じ符号を付して説明を省略する。
【００６３】
図２９を参照して、コネクタ２０１のハウジング２は、略四角柱形状のハウジング本体２１と、ハウジング本体２１の上面２１ａと間隔をもって形成されている天板部２１ｂと、ハウジング本体２１の上面２１ａと天板部２１ｂとの間の空間部分に形成されている上側のレバー収容部２３とを有している。
【００６４】
さらに、ハウジング２には、ハウジング本体２１の下面２２１ａと下板部２２１ｂとの空間部分に形成されている下側のレバー収容部２２３とが形成されており、下側のレバー収容部２２３に上側のレバー収容部２３に収容されているレバー３と同様なレバー２０３が収容されている。
【００６５】
上側のレバー収容部２３の回転操作部３４には、下側のレバー収容部２２３の回転操作部２３４が連結部３１１によって連結されている。二つのレバー３，２０３は、連結部３１１により連結されているので、回転操作をする際に連結部３１１を手の指によって操作することによって二つのレバー３，２０３を同時に回転操作させることができる。
【００６６】
なお、ハウジング２には、ハウジング本体２１の下側のみにレバー収容部２２３を形成し、下側のレバー収容部２２３にレバー２０３を収容するものであってもよい。
【産業上の利用可能性】
【００６７】
本発明のコネクタ装置は、プリント配線基板に相手側コネクタを実装するようなレセプタクルコネクタとこのレセプタクルコネクタに嵌合・離脱させるプラグコネクタとして自動車等の制御信号が流れる信号線を相互に接続するように搭載する電気コネクタとしての用途にも適用できる。
【図面の簡単な説明】
【００６８】
【図１】本発明に係るコネクタ及び相手側コネクタを備えているコネクタ装置の実施例１を示す斜視図である。
【図２】図１に示したコネクタを嵌合面側から見た状態の斜視図である。
【図３】図１に示したコネクタを左側から見た状態の斜視図である。
【図４】図２に示したコネクタのレバーとケーブルを除いたハウジングを示した斜視図である。
【図５】図４に示したハウジングを後側から見た状態を示す斜視図である。
【図６】図４に示したハウジングの平面図である。
【図７】図４に示したハウジングの正面図である。
【図８】図７に示したハウジングのVIII-VIII線断面図である。
【図９】図７に示したハウジングのIX-IX線断面図である。
【図１０】図１に示したコネクタのレバーを示す斜視図である。
【図１１】図１０に示したレバーの平面図である。
【図１２】図１１に示したレバーの正面図である。
【図１３】図１２に示したレバーの右側面図である。
【図１４】図１２に示したレバーのXIV-XIV線断面図である。
【図１５】図１に示した相手側コネクタを示した斜視図である。
【図１６】図１５に示した相手側ハウジングの背面図である。
【図１７】図１５に示した相手側コネクタの相手側コンタクトを除いた相手側ハウジングを示す斜視図である。
【図１８】図１７に示した相手側ハウジングの平面図である。
【図１９】図１７に示した相手側ハウジングの正面図である。
【図２０】図１９に示した相手側ハウジングのXX-XX線断面図である。
【図２１】図２０に示した相手側ハウジングの斜視図である。
【図２２】図１に示したコネクタと相手側コネクタとの嵌合前の状態を説明するための平面から見た状態の説明図である。
【図２３】図２２に示したコネクタと相手側コネクタとの嵌合途中の状態を説明するための説明図である。
【図２４】図２３に示したコネクタと相手側コネクタとのさらに嵌合途中の状態を説明するための説明図である。
【図２５】図２４に示したコネクタと相手側コネクタとの嵌合状態を説明するための説明図である。
【図２６】図２５に示したコネクタと相手側コネクタとの嵌合状態から離脱する途中の状態を説明するための説明図である。
【図２７】図２６に示したコネクタと相手側コネクタとの嵌合状態からさらに離脱する途中の状態を説明するための説明図である。
【図２８】図２７に示したコネクタと相手側コネクタとの離脱状態を説明するための説明図である。
【図２９】本発明のコネクタの実施例２を示す斜視図である。
【符号の説明】
【００６９】
１，２０１    コネクタ
２    ハウジング
３，２０３    レバー
５    ケーブル
６    コンタクト
７    短絡用コンタクト
２１    ハウジング本体
２１ａ    上面
２１ｂ    天板部
２１ｄ    嵌合面
２１ｅ    後面
２１ｈ,２１ｊ  側面
２１ｓ    壁部
２３    レバー収容部
２４    コンタクト収容部
２５    短絡用コンタクト収容部
２６    レバー係合部
２７    レバー回転軸
２８    爪部
２８ａ    斜面
２９    仮止係止片
２９ａ    係止部
３１    第１回転部
３１ａ    回転穴
３１ｄ    第１壁面
３１ｅ    第２壁面
３１ｆ    第３壁面
３１ｇ    第４壁面
３１ｈ    第５壁面
３２    第２回転部
３２ａ    第１スリット
３２ｂ    第２スリット
３２ｈ    ガイド壁部
３４    回転板操作部
３５    凹部
３５ａ    当接部
３５ｂ    位置決め部
３５ｃ    抑制部
３７    ロック片
３７ａ    係止ロック部
３８    操作凹部
３８ａ    第１過大変形防止部
３８ｂ    第２過大変形防止部
１０１    相手側コネクタ
１０２    相手側ハウジング
１０３    相手側コンタクト
１０４    相手側検知用コンタクト
１０２ａ、１０２ｂ    コネクタ嵌合部
１０５    突部
１０６ａ    第１当接部
１０６ｂ    第２当接部
１０６ｃ    第３当接部
１０６ｄ    第４当接部
１１０    解除リブ
２２３    下側のレバー収容部
３３１    連結部
Ａ    嵌合方向
Ｂ    離脱方向
【図１】
2008146941.tif 000003
【図２】
2008146941.tif 000004
【図３】
2008146941.tif 000005
【図４】
2008146941.tif 000006
【図５】
2008146941.tif 000007
【図６】
2008146941.tif 000008
【図７】
2008146941.tif 000009
【図８】
2008146941.tif 000010
【図９】
2008146941.tif 000011
【図１０】
2008146941.tif 000012
【図１１】
2008146941.tif 000013
【図１２】
2008146941.tif 000014
【図１３】
2008146941.tif 000015
【図１４】
2008146941.tif 000016
【図１５】
2008146941.tif 000017
【図１６】
2008146941.tif 000018
【図１７】
2008146941.tif 000019
【図１８】
2008146941.tif 000020
【図１９】
2008146941.tif 000021
【図２０】
2008146941.tif 000022
【図２１】
2008146941.tif 000023
【図２２】
2008146941.tif 000024
【図２３】
2008146941.tif 000025
【図２４】
2008146941.tif 000026
【図２５】
2008146941.tif 000027
【図２６】
2008146941.tif 000028
【図２７】
2008146941.tif 000029
【図２８】
2008146941.tif 000030
【図２９】
2008146941.tif 000031